(57)【特許請求の範囲】
【請求項１】
（ａ）少なくとも一部が上方に突出された緩衝部を有し、床面に直接固着される緩衝プレートと、
（ｂ）ドアの下部に固定された磁石
とからなり、
前記緩衝プレートが磁性体からなり、
前記磁石が、下方に開放する凹部が形成されたケースと、該ケースの内部に設けられた可動シリンダと、磁性体からなるストッパとからなり、
前記ケースに、ケース内部方向に先端部が突出されるよう挿入されたネジが固着され、
前記可動シリンダ内部に、少なくとも一部が外部へ出没し得るよう、金属薄板からなるカバーで覆われた磁石本体が設けられ、該磁石本体が、前記ストッパに吸着され、
前記ストッパが、前記緩衝プレートよりも前記磁石本体に引かれる力が小さくされてなり、
前記可動シリンダが、側面に設けられた長孔と、前記ネジの先端部とにより上下動可能に係合されてなる戸当り。
【請求項２】
前記緩衝プレートの上面にカバーが設けられ、
前記カバー上面が、前記磁石本体との摩擦を減らす表面処理をされてなる請求項１記載の戸当り。
【請求項３】
前記カバーの上面であって、前記緩衝プレートの上方の位置に、少なくとも１本のリブを有してなる請求項１または２記載の戸当り。
【発明の詳細な説明】
【０００１】
【発明の属する技術分野】
本発明は戸当りに関する。さらに詳しくは、床下空間が浅い場所でも設置可能であり、しかも構造が簡単な戸当りに関する。
【０００２】
【従来の技術】
従来より、図８〜９に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
【発明が解決しようとする課題】
しかしながら、前記戸当り５３では、常時床５４に立設されているため、前記ドア５０が戸当り５３に固定されていないばあい、歩行中誤って戸当り５３に蹴つまづいてしまう惧れがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されているが、マンションなどの高層住宅などにおいては、床仕上面と各階を仕切るコンクリートスラブ上面とのあいだの床下空間は比較的浅い（深さ１２ｍｍ程度）ため、ドアに確実に衝突できる高さまで緩衝体を突出できる出没自在の戸当りを床下空間に設置することができなかった。
【０００９】
しかも、従来より知られている出没自在の戸当りは、緩衝体の昇降機構の構造が複雑であり、薄型化が難しく、製造コストも高くなるという問題がある。
【００１０】
本発明はかかる問題を解消するためになされたものであり、歩行や運搬物などの移動を安全に行なうことができ、しかもドアの周辺の床面の美観を向上することができる戸当りであって、床下空間が浅い場所でも設置可能であり、しかも構造が簡単な戸当りを提供することを目的とする。
【００１１】
【課題を解決するための手段】
本願発明の請求項１にかかわる戸当りは、（ａ）少なくとも一部が上方に突出された緩衝部を有し、床面に固着される緩衝プレートと、
（ｂ）ドアの下部に固定された磁石
とからなり、
前記緩衝プレートが磁性体からなり、
前記磁石が、下方に開放する凹部が形成されたケースと、該ケースの内部に設けられた可動シリンダと、磁性体からなるストッパとからなり、
前記ケースに、ケース内部方向に先端部が突出されるよう挿入されたネジが固着され、
前記可動シリンダ内部に、少なくとも一部が外部へ出没し得るよう、金属薄板からなるカバーで覆われた磁石本体が設けられ、
前記ストッパが、前記緩衝プレートよりも前記磁石本体に引かれる力が小さくされてなり、
前記可動シリンダが、側面に設けられた長孔と、前記ネジの先端部とにより上下動可能に係合されてなることを特徴とするものである。
【００１７】
前記緩衝プレートの上面にカバーが設けられ、前記カバー上面が、前記磁石本体との摩擦を減らす表面処理をされてなるのが好ましい。
【００１８】
前記カバーの上面であって、前記緩衝プレートの上方の位置に少なくとも１本のリブを有してなるのが好ましい。
【００２０】
【発明の実施の形態】
つぎに図面を参照しながら本発明の戸当りを詳細に説明する。図１は本発明の参考例にかかわる戸当りを示す斜視説明図、図２は図１のカバーを取った状態の本体部分の平面説明図、図３は図１の本体部分の断面説明図、図４は図１の磁石における磁石本体が上に位置する状態の断面説明図、図５は図１の磁石における磁石本体が下に位置する状態の断面説明図、図６は本発明の請求項１にかかわる戸当りの緩衝プレートの平面説明図および図７は図６の緩衝プレートのVII−VII線断面図である。
【００２１】
図１に示すように、本発明の参考例にかかわる戸当りは、大きく分けて、床面に埋設される本体部分１と、ドアＤに固着される磁石２とから構成されている。本体部分１には、図１〜３に示されるように、ケーシング３の内部の空間部４（図２〜３参照）に磁性体からなるプレート５および緩衝体６が収納されている。
【００２２】
ケーシング３は、図２に示されるように、たとえば２箇所のネジ孔１ａに挿通されるネジ（図示せず）により、カバー９とともに床に形成される凹所に固定できるようにされている。
【００２３】
ケーシング３は、床面に埋設される箱体であり、プレート５とほぼ同じか若干大きい程度の大きさの空間部４を有しており、空間部４は上面全体が開口４ａを通して上方に開放されている。ケーシング３の上面は、図１および図３に示されるように、開口８が形成されたカバー９で覆われている。
【００２４】
なお、カバー９をケーシング３と一体形成してもよく、その場合、ケーシング３下部に、プレート５および緩衝体６を挿入するための開口および該開口を閉じる底蓋を設ければよい。
【００２５】
ケーシング３の空間部４には、磁性体からなるプレート５が上下に移動自在に収納されている。プレート５の上面には、緩衝体６がプレート５の一部に嵌入されることにより、固着されている。緩衝体６は、前記開口４ａおよび開口８を通して外部に出没し得るようになっている。
【００２６】
図３に示されるように、ケーシング３の内部の空間部４の深さＡは、マンションなどの高層住宅などの浅い（深さ１２ｍｍ程度）床下空間にケーシング３を設置できるように、５〜１２ｍｍ程度に設定されるのが好ましい。
【００２７】
プレート５は、図２〜３に示されるように、前記磁石２に吸引されることにより、緩衝体６を上昇させる部材であり、鉄、スチールなどの磁性体によって作製されている。プレート５は、ケーシング３の空間部４底面に置かれているだけなので、本体部分１の上に磁石２がきたときに磁石２の吸引力により、プレート５および緩衝体６を上昇させることができる。また、磁石２の吸引力がなくなれば、プレート５および緩衝体６は自重で下降することができる。したがって緩衝体６を昇降するための機構の構造が簡単である。
【００２８】
さらに、前記ケーシング３の上面付近で、しかもプレート３よりも前記ドアＤに近い位置には、後述する磁石２の磁石本体２ｂを引き出すための、磁性体からなる吸引プレート１０が設けられている。吸引プレート１０は、ケーシング３の上面の凹部１ｂに嵌合されたのち、前記カバー９で上面が覆われている。
【００２９】
さらに、前記カバー９の上面に対して、磁石本体２ｂとの摩擦を減らすことができるように、メッキまたは樹脂コーティングなどの表面処理を施してもよい。
【００３０】
また、吸引プレート１０によって引き出された磁石本体２ｂを滑りやすくするために、カバー９の上面にリブ１１を設けてもよい。さらに、このリブ１１により、ドアＤを全開したときにリブ１１が磁石本体２ｂに係止することによって、磁石本体２ｂがプレート５のほぼ真上に保持される。
【００３１】
しかも、ドアＤを開けるときに、磁石本体２ｂがリブ１１に乗り上げやすいように、リブ１１の高さをドアＤに近くなるにつれて低くなるようにすればよい。
【００３２】
つぎに磁石２の説明をする。磁石２は、図４および図５に示されるように、下方に開放する凹部２ｅが形成されたケース２ａの内部に磁石本体２ｂが収納されたものである。ケース２ａの上部には、プレート部２ｃが形成され、プレート部２ｃの両端部には前記ドアＤにネジ止めするためのネジ孔２ｄ（図１参照）が形成されている。磁石２をドアＤに取り付ける場合、ケース２ａをドアの外面に突設したり、ケース２ａをドア下端付近の座ぐりによって形成された穴に埋設し、プレート部２ｃを、ドアの外面に固定してもよい。
【００３３】
磁石本体２ｂは、磁性体である金属薄板からなるカバー２ｆで覆われているため、磁石本体２ｂが床面またはケーシング３の上面との接触によって欠けたり、摩耗したりすることがない。また、磁石本体２ｂの上面には、磁石本体２ｂを固定するための磁性体からなる固定片２ｇが吸着され、固定片２ｇはカバー２ｆの凸部に係止される。
【００３４】
さらに、カバー２ｆは、可動シリンダ２ｈ内部に嵌合されている。可動シリンダ２ｈの側面には、垂直方向にのびる長孔２ｉが形成されている。長孔２ｉには、ケース２ａに固着されたネジ２ｊの先端部が挿入されている。したがって、可動シリンダ２ｈは、長孔２ｉおよびネジ２ｊとの係合によって一定のストロークだけ上下移動が許される。
【００３５】
さらに、図４〜５に示されるように、ケース２ａの凹部２ｅの内面に磁性体からなるストッパ１２が設けられている。ストッパ１２は、前記プレート５および吸引プレート１０（図２〜３参照）よりも磁石本体２ｂに引かれる力が小さいように作製されている。
【００３６】
ストッパ１２は、前記プレート５および吸引プレート１０と同様のスチールなどの金属片などからなり、当該ストッパ１２の水平断面における断面積が前記プレート５および吸引プレート１０の上面における面積よりも小さくなるように作製される。ストッパ１２は、凹部２ｅの奥端面から突設されている。
【００３７】
このストッパ１２により、磁石本体２ｂは、図４に示されるように前記プレート５および吸引プレート１０から遠い位置にあるときには、ストッパ１２に吸着されているため、ケース２ａの内部に保護されている。一方、図５に示されるように、磁石本体２ｂは、前記ドアＤを開けるときには、まず前記吸引プレート１０のほぼ上にきたときには、ストッパ１２よりも吸引プレート１０へ引かれる力が強くなるため、磁石本体２ｂは、ケース２ａから下方へ突出して吸引プレート１０に吸着する。ついで、磁石本体２ｂを下方へ突出したまま、さらにドアＤを開けるとプレート５に対して強い吸引力を与えることができる。
【００３８】
なお、本参考例では、図４〜５に示される磁石を例にあげて説明したが、本発明はこれに限定されるものではなく、ドアの下端付近（下面など）に固定でき、本体部分１のプレート５に磁力を作用させることができるものであれば、種々のものを採用することができる。したがって、ドアの下端付近に電磁石や永久磁石などを配設してもよい。
【００３９】
つぎに図１〜５に示される本参考例の戸当りの動作説明を説明する。
【００４０】
まず、本体部分１の設置方法として、図１〜３に示されるように、本体部分１を床面の全開位置付近に埋設し、磁石２をドアＤの下面に埋設する。このとき、緩衝体６をドアＤのほぼ全開位置に配置し、プレート５および吸引プレート１０をドアＤの閉位置側に配置するようにする。
【００４１】
ドアＤが開方向に移動するとき、全開位置付近よりも遠いときには、磁石２とプレート５および吸引プレート１０とのあいだの距離が大きいため、磁石本体２ｂおよびプレート５はいずれも動かない。
【００４２】
ドアＤが全開位置付近にきたときに、まず、磁石本体２ｂは吸引プレート１０に引きつけられて下降し、リブ１１に接触する。さらに、ドアＤを開ければ、磁石本体２ｂがプレート５のほぼ真上にきたときにプレート５は引きつけられて上昇し、緩衝体６は床面から突出する。したがって、ドアＤが全開位置にきたときには、緩衝体６は磁石２（またはドアＤの外面）に接触し、しかも磁石本体２ｂがプレート５に吸着されることにより、ドアＤを全開状態でロックすることができる。
【００４３】
反対に、ドアＤを全開状態から閉じたいときには、前記磁石本体２ｂとプレート５とのあいだの吸引力に抗して少し強めにドアＤを閉方向に移動させれば、容易にロックを解除してドアＤを閉めることができる。そして、ドアＤをさらに閉めれば、プレート５に対する吸引力は弱まり、プレート５および緩衝体６の自重により、緩衝体６はケーシング３に収納される。一方、磁石本体２ｂは、再び前記ストッパ１２に吸着することによりケース２ａ内部に収納される。
【００４４】
以上の図１〜３に示される戸当りの本体部分は、床面に埋設させて緩衝体６を磁石２からの磁力により飛び出させる構造であるが、前記磁石２の磁石本体２ｂの上下移動ストロークが充分であれば、前記本体部分１の代わりに、図８〜９に示されるように、床面からわずかに突出した緩衝部２３を有する緩衝プレート２１を床面に直接固着させた、さらに簡単な構造ものを採用してもよい。
【００４５】
具体的にいえば、本発明の請求項１記載の戸当りは、図６〜７に示される緩衝プレート２１は、磁石を吸着できるように本体２２が磁性体で作製され、上方への突出量Ｂが２〜５ｍｍ程度の緩衝部２３を有している。さらに、緩衝プレート２１の上面全体は、カバー２４によって覆われている。
【００４６】
図７に示される緩衝部２３は、緩衝プレート２１の本体２２の上面に配設された磁性板によって形成されているが、金属薄板をプレス成形することにより、本体２２および緩衝部２３を一体成形してもよい。
【００４７】
カバー２４は、前記図１および３のカバー９と同様に、カバー２４の上面に対して、磁石本体２ｂとの摩擦を減らすことができるように、メッキまたは樹脂コーティングなどの表面処理を施してもよい。
【００４８】
さらに、カバー２４の上面には、前記図１および３のカバー９と同様にリブ２５を設けてもよい。このリブ２５により、前記ドアＤを全開したときにリブ２５が磁石本体２ｂに係止することによって、磁石本体２ｂがプレート２１上に保持される。しかも、ドアＤを開けるときに、磁石本体２ｂがリブ２５に乗り上げやすいように、リブ２５の高さをドアＤに近くなるにつれて低くなるようにすればよい。
【００４９】
一方、図６〜７に示される緩衝プレート２１に吸着される磁石は、ドアＤの下部において上下移動自在に固定され、最下点で前記緩衝部に衝突し得る磁石であればよい。
【００５０】
たとえば、前記図４〜５に示される磁石２のような、下方に開放する凹部２ｅが形成されたケース２ａと、ケース２ａの内部に収納された磁石本体２ｂとからなり、磁石本体２ｂが、少なくとも一部が外部へ出没し得るようにケース２ａの凹部に収納され、ケース２ａの凹部２ｅの内面に磁性体からなるストッパ１２が設けられ、ストッパ１２が、緩衝プレート２１よりも磁石本体２ｂに引かれる力が小さくなる磁石を採用することができる。
【００５１】
この磁石２を採用することにより、ドアＤの全開時に、磁石２が緩衝プレート２１の上にきたときに磁石本体２ｂが下降し、ドアＤを閉動作により緩衝プレート２１から離れたときに磁石本体２ｂが上昇してストッパ１２に吸着することができる。
【００５２】
【発明の効果】
【００５５】
本発明の請求項１にかかわる戸当りによれば、床面に直接固着され、上下移動自在の磁石をドアに設けるとともに、当該磁石に衝突し得る程度の高さの緩衝部を有する緩衝プレートを床面に設けることにより、床下に穴を形成することなく設置することができる。しかも、緩衝部の高さは非常に低くすることができるため、歩行やキャビネットなどの運搬物の移動を安定に行なうことができ、また美観も向上する。
【００５６】
そして、緩衝プレートは、若干突出した緩衝部を有するだけの構造であるため、さらに構造が簡単になる。
【図面の簡単な説明】
【図１】  本発明の参考例にかかわる戸当りを示す斜視説明図である。
【図２】  図１のカバーを取った状態の本体部分の平面説明図である。
【図３】  図１の本体部分の断面説明図である。
【図４】  図１の磁石における磁石本体が上に位置する状態の断面説明図である。
【図５】  図１の磁石における磁石本体が下に位置する状態の断面説明図である。
【図６】  本発明の請求項１にかかわる戸当りの緩衝プレートの平面説明図である。
【図７】  図６の緩衝プレートのVII−VII線断面図である。
【図８】  従来のドアの固定状態を示す説明図である。
【図９】  従来の戸当りを示す説明図である。
【符号の説明】
１  本体部分
２  磁石
３  ケーシング
５  プレート
６  緩衝体
９  カバー
２１  緩衝プレート
２３  緩衝部
【図１】
0004183365.tif 000002
【図２】
0004183365.tif 000003
【図３】
0004183365.tif 000004
【図４】
0004183365.tif 000005
【図５】
0004183365.tif 000006
【図６】
0004183365.tif 000007
【図７】
0004183365.tif 000008
【図８】
0004183365.tif 000009
【図９】
0004183365.tif 000010